Podtech/llm-jp-corpus-v4-ja_patent huggingface dataset:
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
第一層と、
第一層から間隔を置いて配置される第二層であって、第一層と第二層の間隔は印加圧力に関係するものと、
第一及び第二層の間の充填物質と、
充填物質に向けられ、充填物質により反射が生成される光源と、
反射を検知し、反射に基づいて印加圧力に関係した出力を与える光センサと、
を含む圧力センサ。
【請求項２】
第一及び第二層が脆性で透明な物質である、請求項１に記載の装置。
【請求項３】
第一及び第二層が変形可能で圧力に反応する部材である、請求項１に記載の装置。
【請求項４】
第一及び第二層の間の距離を画定する、変形可能で圧力に反応する部材中に形成されるキャビティを含む、請求項３に記載の装置。
【請求項５】
第一及び第二層は単結晶物質を含む、請求項１に記載の装置。
【請求項６】
光を光源から第一及び第二層に向けるように構成された光ファイバーを含む、請求項１に記載の装置。
【請求項７】
光ファイバーが第一及び第二層を含むハウジング内部に延びている、請求項６に記載の装置。
【請求項８】
第一及び第二層を含むハウジングを含み、ハウジングは絶縁充填流体で充填されている、請求項１に記載の装置。
【請求項９】
充填流体を圧力流体から絶縁し圧力流体の圧力を充填流体に伝達する、ハウジングに装着された分離ダイアフラムを含む、請求項８に記載の装置。
【請求項１０】
プロセス制御ループ上にセンサ圧力に印加された圧力に関係した出力を与えるように構成されたＩ／Ｏ回路を含む、請求項１に記載の装置。
【請求項１１】
第一及び第二層は互いに接合され、それらの間にキャビティを形成する、請求項１に記載の装置。
【請求項１２】
第一及び第二層は融解接合によって互いに接合され、キャビティは気密にシールされている、請求項１１に記載の装置。
【請求項１３】
第一及び第二層はサファイアを含む、請求項１に記載の装置。
【請求項１４】
干渉に基づいて印加圧力に関係した出力を与えるように構成された制御器を含む、請求項１に記載の装置。
【請求項１５】
光源は多重周波数を与えるために、ある周波数領域を走査する、請求項１に記載の装置。
【請求項１６】
光源が同時に多重周波数を与える、請求項１に記載の装置。
【請求項１７】
充填流体を受けるためのリザーバを含む、請求項１に記載の装置。
【請求項１８】
充填流体は油を含む、請求項１に記載の装置。
【請求項１９】
第一及び距離が離れた第二層を含む変形可能で圧力に反応する部材に圧力を印加し、それによって第一及び第二層の間の間隔に変化を生じさせるステップと、
光源を第一及び第二層に向け、第一層及び第二層の間の充填物質による反射を生成するステップと、
反射を検知するステップと、
第一及び第二反射に基づいて印加圧力に関係する出力を与えるステップと、
を含むプロセス流体の圧力を検出する方法。
【請求項２０】
第一層と、
第一層から間隔を置いて配置される第二層であって、第一層と第二層の間隔は印加圧力に関係するものと、
反射を与える圧力センサ部材に向けられている光源と、
反射を検知し、反射に基づいて印加圧力に関係した出力を与える光センサと、
圧力センサからの反射光スペクトル及び圧力センサの電流状態に関係したデータを記憶する非揮発性メモリと、
検知された反射及び記憶されたデータの関数としてプロセス流体の圧力に関係した出力を含む制御器と、
を含む圧力センサ部材、
を含む、プロセス流体の圧力を検知するように構成された装置。
【請求項２１】
光源は光格子を含む、請求項２０に記載の装置。
【請求項２２】
第一及び間隔を置いて配置される第二層を含む変形可能な圧力に反応する部材に圧力を印加し、それによって第一及び第二層の間の間隔に変化を生じるステップと、
光源を第一及び第二層に向け、第一及び第二層による反射を生成するステップと、
反射を検知するステップと、
検知された反射を、反射光スペクトル及び圧力センサ部材の導体に関係した非揮発性メモリに記憶されたデータと比較するステップと、
第一及び第二反射に基づいて印加圧力に関係した出力を与えるステップと、
を含む、プロセス流体の圧力を検出する方法。
【請求項２３】
反射を検知する前に、反射を光格子を通過させるステップを含む、請求項２２に記載の方法。
【請求項２４】
印加圧力に反応して変形する部材と、
部材に向けられている光源と、
部材からの光スペクトルを検知するように構成されたセンサと、
スペクトルデータを記憶するように構成されたメモリと、
検知されたスペクトルを記憶されたスペクトルデータと比較し、印加圧力に関係した出力を与えるように構成された制御器と、
を含む、プロセス流体の圧力を測定する装置。
【請求項２５】
センサがＣＣＤセンサを含む、請求項２４に記載の装置。
【請求項２６】
センサが格子を含む、請求項２４に記載の装置。
【請求項２７】
端を含む光ファイバーと、
光ファイバーの端に接合され、印加圧力に反応して光ファイバーの端に対して変形する表面を含む変形可能な構造と、
光ファイバーを通じて光ファイバーの端及び表面に向けられる光源であって、それによって表面が光源からの光を反射するようなものと、
表面からの反射を検知し、反射に基づいて印加圧力に関係した出力を与える光センサと、
を含む圧力センサ。
【請求項２８】
変形可能な構造は、気密に光ファイバーに接合されている、請求項２７に記載の装置。
【請求項２９】
変形可能な構造の表面は光ファイバーの端から間隔を置いて配置されている、請求項２７に記載の装置。
【請求項３０】
変形可能な構造の表面は、全般的に光ファイバーの端に平行である、請求項２７に記載の装置。
【手続補正書】
【提出日】平成22年2月17日(2010.2.17)
【手続補正１】
【補正対象書類名】特許請求の範囲
【補正対象項目名】請求項１０
【補正方法】変更
【補正の内容】
【請求項１０】
ナビゲーションデバイスのプロセッサ上で実行することで、前記ナビゲーションデバイスに請求項１乃至９の何れか１項に記載の前記方法が有する各工程を実行させるコンピュータプログラムを格納したコンピュータ可読媒体。
【手続補正２】
【補正対象書類名】特許請求の範囲
【補正対象項目名】請求項１１
【補正方法】変更
【補正の内容】
【請求項１１】
ナビゲーションデバイスであって、
前記ナビゲーションデバイスが最後に接続された車両における位置を格納するためのメモリと、
前記ナビゲーションデバイスが車両に接続されていることを判断し、
前記ナビゲーションデバイスが接続されている間、前記メモリへの前記位置の格納を行い、
前記ナビゲーションデバイスの現在位置と、前記ナビゲーションデバイスが最後に接続された前記車両における前記格納した位置と、に基づいて、前記車両へのルートを判断するプロセッサと
を備えることを特徴とするナビゲーションデバイス。
【手続補正３】
【補正対象書類名】特許請求の範囲
【補正対象項目名】請求項１３
【補正方法】変更
【補正の内容】
【請求項１３】
更に、
前記ナビゲーションデバイス上に、前記車両への前記判断されたルートを表示する表示デバイスを備えることを特徴とする請求項１２に記載のナビゲーションデバイス。
【手続補正４】
【補正対象書類名】特許請求の範囲
【補正対象項目名】請求項１４
【補正方法】変更
【補正の内容】
【請求項１４】
前記促すデバイスと前記表示デバイスとは統合されていることを特徴とする請求項１３に記載のナビゲーションデバイス。
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
キャリヤとしての基体材料を含む有機発光ダイオード（ＯＬＥＤ）内で、少なくとも１つの非光放出領域を少なくとも１つの光放出領域から分離する方法であって、上記基体材料には少なくとも１つの陽極層及び少なくとも１つの陰極層が被膜及び／または積層され、上記陽極層と上記陰極層の間に光を放出するための少なくとも１つの機能層が挟持されており、上記陽極層と上記陰極層との間に電圧を印加すると上記光放出領域内において光が放出され、上記少なくとも１つの非光放出領域の分離は、少なくとも上記陽極層及び／または上記陰極層に溝を刻み付けて、少なくとも１つの上記陽極層及び／または上記陰極層において上記光放出領域から上記非光放出領域へ流れる電流を遮断し、ＯＬＥＤ内に少なくとも１つの暗領域を生成することによって行ない、上記溝は機械的なスクライビングツールによる機械的刻み付けによって形成することを特徴とする方法。
【請求項２】
上記スクライビングツールとして、細い刃部を含む機械的手段が使用されることを特徴とする請求項１に記載の方法。
【請求項３】
上記スクライビングツールとして、針、ナイフ、剃刀の刃、または彫刻刀が使用されることを特徴とする請求項１または２に記載の方法。
【請求項４】
上記溝は囲み線として形成され、上記囲み線の内側領域を外側領域から電気的に分離していることを特徴とする請求項１乃至３の何れか１項に記載の方法。
【請求項５】
上記陽極層はインジウムスズ酸化物層として形成され、上記インジウムスズ酸化物層は上記スクライビングツールによって刻み付けられて上記インジウムスズ酸化物層内に上記溝が形成され、上記溝バンドの両側間の電流を遮断するようになっていることを特徴とする請求項１乃至４の何れか１項に記載の方法。
【請求項６】
上記陰極層はアルミニウム層として形成され、上記アルミニウム層は上記スクライビングツールによって刻み付けられて上記アルミニウム層内に上記溝が形成され、上記溝バンドの両側間の電流を遮断するようになっていることを特徴とする請求項１乃至４の何れか１項に記載の方法。
【請求項７】
上記ＯＬＥＤ上の上記スクライビングツールの運動は手によって操作されることを特徴とする請求項１乃至６の何れか１項に記載の方法。
【請求項８】
上記ＯＬＥＤ上の上記スクライビングツールの運動は操作システムによって操作されることを特徴とする請求項１乃至６の何れか１項に記載の方法。
【請求項９】
キャリヤとしての基体材料を含む有機発光ダイオード（ＯＬＥＤ）であって、上記基体材料には少なくとも１つの陽極層及び少なくとも１つの陰極層が被膜及び／または積層され、上記陽極層と上記陰極層の間に光を放出するための少なくとも１つの機能層が挟持されており、上記陽極層と上記陰極層との間に電圧を印加すると少なくとも１つの光放出領域内において光が放出され、上記ＯＬＥＤは少なくとも１つの非光放出領域を含み、上記非光放出領域は少なくとも上記陽極層及び／または上記陰極層内に溝を刻み付けることによって少なくとも１つの上記陽極層及び／または上記陰極層において上記光放出領域から上記非光放出領域へ流れる電流を遮断することによってもたらされ、上記溝を含む少なくとも１つの上記陽極層、上記機能層及び上記陰極層は何等の熱的影響を受けておらず、特に上記溝のバンドが熱的影響を受けておらず、表面全体が均一な外観を呈していることを特徴とする有機発光ダイオード（ＯＬＥＤ）。
【請求項１０】
上記陽極層、上記機能層及び／または上記陰極層の少なくとも１つに上記溝を刻み付ける手段は、レーザー放射を用いないことを特徴とする請求項９に記載の有機発光ダイオード（ＯＬＥＤ）。
【請求項１１】
少なくとも１つの上記陽極層、上記機能層及び／または上記陰極層に上記溝を刻み付ける手段は、機械的スクライビングツールであることを特徴とする請求項９または１０に記載の有機発光ダイオード（ＯＬＥＤ）。
【請求項１２】
上記溝は囲み線になっており、上記囲み線内の非光放出領域を電流分離していることを特徴とする請求項９乃至１１の何れか１項に記載の有機発光ダイオード（ＯＬＥＤ）。
【請求項１３】
特に電気短絡のようなホットスポットが、上記囲み線内に配置されていることを特徴とする請求項９乃至１２の何れか１項に記載の有機発光ダイオード（ＯＬＥＤ）。
【請求項１４】
請求項１乃至８の何れか１項に記載の方法を用いた請求項９乃至１３の何れか１項に記載の有機発光ダイオード（ＯＬＥＤ）。
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
発話生成のためのシステムであって、
各々が音に対応する多様な状態を有し、かつ状態または状態の組合せの選択を行うためのセレクタを有するユーザ・インターフェースと、
前記選択された状態、または状態の組合せを処理するための処理手段と、
前記音または音の組合せを出力するためのオーディオ出力とを備えるシステム。
【請求項２】
前記音が、音素または音声である、請求項１に記載のシステム。
【請求項３】
前記システムが、事前定義された音のグループを表す１組の１次状態を備え、各１次状態により、前記事前定義された音のグループを含む１つまたは複数の２次状態にアクセスできるようになる、請求項１又は２に記載のシステム。
【請求項４】
前記ユーザ・インターフェースが、ユーザが前記インターフェースを複数の位置に操作することにより状態間を区別することを可能にする、手動で操作可能な装置を備える、請求項１に記載のシステム。
【請求項５】
前記ユーザ・インターフェースがジョイスティックを含む、請求項４に記載のシステム。
【請求項６】
各状態が、前記ジョイスティックの位置に対応する、請求項５に記載のシステム。
【請求項７】
前記１次状態が、それぞれ、前記ジョイスティックの最初の位置からのｎ個の動作のうちの１つにより表される、請求項３に記載のシステム。
【請求項８】
前記セレクタが、選択された前記音を前記ユーザが聞くことを可能にする音フィードバックを備える、請求項１に記載のシステム。
【請求項９】
前記音フィードバックが、前記音から単語が形成されているとき前記ユーザが単語をモニタすることができるようにするための個人的な聴取装置を含む、請求項８に記載のシステム。
【請求項１０】
前記音フィードバックのレベルが調整可能である、請求項８に記載のシステム。
【請求項１１】
前記処理手段が、音の組合せを共にマージして単語を形成するための音マージ手段を備える、請求項１から１０のいずれかに記載のシステム。
【請求項１２】
前記プロセッサが、単語の一部を形成する１つまたは複数の組み合わされた音に基づいて完全な単語を予測するモジュールを備える、請求項１から１１のいずれかに記載のシステム。
【請求項１３】
前記処理手段が、最初の音の前記１次または２次状態が選択された後、その後に続く音に対して、より可能性の高い１次および２次状態の選択を促進するように動作する、請求項１から１２のいずれかに記載のシステム。
【請求項１４】
前記手動で操作可能な装置が、最初の音が選択された後、いくつかのその後に続く音の選択をより容易にするために、力フィードバック・システムにより案内される、請求項１３に記載のシステム。
【請求項１５】
前記力フィードバック・システムが偏倚手段を含む、請求項１４に記載のシステム。
【請求項１６】
合成発話を生成する方法であって、
ユーザ・インターフェースの１次および２次状態と関連付けられた複数の音を提供するステップと、
出力発話を形成するために、１つまたは複数の音を選択するステップと、
前記１つまたは複数の音を出力するステップとを含む方法。
【請求項１７】
前記音が、音素または音声である、請求項１６に記載の方法。
【請求項１８】
各１次状態により、事前定義された音のグループを含む１つまたは複数の２次状態にアクセスできるようになる、請求項１６又は１７に記載の方法。
【請求項１９】
前記１次状態が、それぞれ、ユーザ・インターフェースの最初の位置からのｎ個の動作のうちの１つにより表され、前記２次状態が、それぞれ、前記関連する１次状態の前記位置からのｍ個の動作のうちの１つにより表される、請求項１８に記載の方法。
【請求項２０】
選択された前記音を前記ユーザが聞くことを可能にする音フィードバックを提供するステップをさらに含む、請求項１６から１９のいずれかに記載の方法。
【請求項２１】
音の組合せを共にマージして単語を形成するステップをさらに含む、請求項１６から２０のいずれかに記載の方法。
【請求項２２】
選択された音により定義される前記単語の最初の部分に基づいて、前記予測モジュールが予測した、完全な単語であり得る一連の既知の単語を表示するステップをさらに含む、請求項１６から２１のいずれかに記載の方法。
【請求項２３】
最初の音の前記１次または２次の状態が選択された後、その後に続く音に対して、より可能性の高い１次および２次の状態の選択を促進するステップをさらに含む、請求項１６から２２のいずれかに記載の方法。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
複数のパラメータを測定するシステムであって、
溶液を有する容器と、測定デバイスを構成するインピーダンスアナライザ及び読取器に近接したタグと連動する１以上のセンサとを備え、
１以上のセンサが溶液の１以上のパラメータを決定するように構成されており、
タグが１以上のセンサに関してデジタルＩＤを付与するように構成されており、容器が読取器及びインピーダンスアナライザに近接し、
インピーダンスアナライザが、パラメータに基づいて１以上のセンサから所与の範囲の周波数を受信し、周波数に基づいてパラメータを算出する、システム。
【請求項２】
前記容器がコンピュータに接続されている、請求項１記載のシステム。
【請求項３】
前記測定デバイスが１以上のセンサから１以上のパラメータを読み取るように構成された、請求項２記載のシステム。
【請求項４】
前記コンピュータが１以上のセンサからのパラメータを表示するように構成された、請求項３記載のシステム。
【請求項５】
前記容器が使い捨て型容器である、請求項１記載のシステム。
【請求項６】
前記容器がプラスチック容器である、請求項１記載のシステム。
【請求項７】
前記溶液が、流体、血液及びガスからなる群から選択される、請求項１記載のシステム。
【請求項８】
前記溶液が、次の物質、即ちクレアチニン、尿素、乳酸脱水素酵素及びアルカリ性カリウムを含む血液である、請求項７記載のシステム。
【請求項９】
前記溶液がＣＯ2、Ｏ2、ＮＯｘを含むガス又は溶解ガスである、請求項７記載のシステム。
【請求項１０】
前記溶液がアンモニア、アセトンシアノヒドリンを含む工業用毒物を含む、請求項７記載のシステム。
【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
第１の光検出器に光学的に接続された第１の導光部と、
第２の光検出器に光学的に接続された、ガンマ線シンチレータ物質を含む第２の導光部と、
入射する光学光子に対して不透明な、前記第１及び第２の導光部に挟まれた中性子シンチレータのシートと、
を含む、選択的放射線検出装置。
【請求項２】
高速中性子が前記中性子シンチレータにより捕捉され、光を発生させるよう、前記導光部は該高速中性子を熱中性子化する、請求項１に記載の装置。
【請求項３】
前記導光部は、高速中性子を熱中性子化する含水素物質を含む、請求項２に記載の装置。
【請求項４】
前記導光部は、水、有機溶媒、鉱物油、及び有機ポリマーから選択された少なくとも１つの物質を含む、請求項３に記載の装置。
【請求項５】
前記中性子シンチレータは、熱中性子捕捉同位体成分、及び、該捕捉同位体が熱中性子に晒されると光を放つシンチレーション成分を含む、請求項１に記載の装置。
【請求項６】
前記ガンマ線シンチレータはプラスチックシンチレータ又は液体シンチレータを含む、請求項１に記載の装置。
【請求項７】
前記捕捉同位体は、6Li, 10B, 113Cd, 及び 157Gdから選択される、請求項５に記載の装置。
【請求項８】
前記中性子シンチレータは6LiF 及び ZnSを含む、請求項５に記載の装置。
【請求項９】
前記ガンマ線シンチレータは、NaI(Tl), CsI(Tl), BGO, BaF2, LSO, 及び CdWO4から選択された物質を含む、請求項１に記載の装置。
【請求項１０】
前記第１の光検出器及び前記第２の光検出器からの信号の同時発生を指示するプロセッサを更に含む、請求項１に記載の装置。
【請求項１１】
プロセッサが前記第１の光検出器及び前記第２の光検出器からの信号の同時発生を指示する場合には、検出された放射線は中性子として分類される、請求項１に記載の装置。
【請求項１２】
プロセッサが前記第２の光検出器からの信号を指示する場合であって、しかしながら前記第１の光検出器からの信号を指示しない場合に、検出された放射線はガンマ線として分類される、請求項１に記載の装置。
【請求項１３】
中性子とガンマ線とを同時に独立に数え上げる、請求項１に記載の装置。
【請求項１４】
放射線検出結果を表示するための、プロセッサに接続されたディスプレイを更に含む、請求項１に記載の装置。
【請求項１５】
手持ち式となるよう構成される、請求項１に記載の装置。
【請求項１６】
複数の中性子シンチレータシートが複数の導光板をインターリーブする、請求項１に記載の装置。
【請求項１７】
前記導光板に光学的に接続された複数の光検出器を更に含む、請求項１６に記載の装置。
【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
ａ）偏光の供給に適した第１エタンデュ値をそれぞれ含む、少なくとも第１及び第２の照明装置を備え、
第１の照明装置は、第１の色光路へ第１色の偏光を供給し、
第２の照明装置は、第２の色光路へ第２色の偏光を供給し、
前記各色光路は、
ｉ）前記偏光の経路内に設けられ、実質的にテレセントリックな偏光ビームを形成するレンズ素子と、
ｉｉ）前記偏光ビームを変調して、変調済み有色ビームを形成する透光性空間光変調器と、
ｉｉｉ）複数の前記変調済み有色ビームを表示画面に向ける投射レンズと、
を備え、
前記各透光性空間光変調器のエタンデュ値が、前記照明装置に対応する前記第１エタンデュ値の１５％以内、又は前記照明装置に対応する前記第１エタンデュ値よりも大きな値であるディジタル映写機。
【請求項２】
請求項１に記載のディジタル映写機であって、
少なくとも１つの前記透光性空間光変調器は、対角寸法が約５インチ以上の活性表面を有するディジタル映写機。
【請求項３】
請求項１に記載のディジタル映写機であって、
前記複数の変調済み有色ビームが５０００ルーメンを超えるディジタル映写機。
【請求項４】
請求項１に記載のディジタル映写機であって、
少なくとも１つの透光性空間光変調器は、磁性フォトニック結晶変調器であるディジタル映写機。
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
ａ）多色偏光の供給に適した第１エタンデュ値を有する照明装置と、
ｂ）前記多色偏光の経路内に設けられ、実質的にテレセントリックな多色偏光ビームを形成するレンズ素子と、
ｃ）前記多色偏光ビームを少なくとも２つのテレセントリックな有色光ビームに色分解する色成分分離器と、
ｄ）前記２つのテレセントリックな有色光ビームを変調して少なくとも２つの変調済み有色光ビームを形成する、少なくとも２つの透光性空間光変調器と、
ｅ）前記変調済み有色光ビームを共通の光軸に沿って結合して、変調済み多色光ビームを形成する色成分結合器と、
ｆ）前記変調済み多色光ビームを表示画面に向ける投射レンズと、
を備え、
前記各透光性空間光変調器のエタンデュ値が、前記照明装置に対応する前記第１エタンデュ値の１５％以内、又は前記照明装置に対応する前記第１エタンデュ値よりも大きな値であるディジタル映写機。
【請求項２】
請求項１に記載のディジタル映写機であって、
少なくとも１つの透光性空間光変調器は、磁性フォトニック結晶変調器であるディジタル映写機。
【請求項３】
ａ）第１エタンデュ値でテレセントリックな多色偏光ビームを形成するレンズ素子を備えた照明装置と、
ｂ）前記多色偏光ビームを少なくとも第１のテレセントリックな有色光ビームと第２のテレセントリックな有色光ビームとに色分解するスペクトル分離器と、
ｃ）少なくとも、ｉ）前記第１のテレセントリックな有色光ビームの経路内に設けられ、当該有色光ビームを変調して第１の変調済み有色光ビームを形成する第１透光性空間光変調器、及びｉｉ）前記第２のテレセントリックな有色光ビームの経路内に設けられ、当該有色光ビームを変調して第２の変調済み有色光ビームを形成する第２透光性空間光変調器を有する色変調系と、
ｄ）少なくとも前記第１及び第２の変調済み有色光ビームを共通の光軸に沿って結合して、変調済み多色光ビームを形成する色成分結合器と、
ｅ）前記変調済み多色光ビームを表示画面に向ける、前記共通の光軸と同軸の投射レンズと、
を備え、
前記第１透光性空間光変調器のエタンデュ値である第２エタンデュ値は、前記第１エタンデュ値の１５％以内であるディジタル映写機。
【請求項４】
ａ）テレセントリックな多色偏光ビームを形成するレンズ素子を備えた照明装置と、
ｂ）前記多色偏光ビームを少なくとも第１のテレセントリックな有色光ビームと第２のテレセントリックな有色光ビームとに色分解するスペクトル分離器と、
ｃ）少なくとも、ｉ）前記第１のテレセントリックな有色光ビームの経路内に設けられ、当該有色光ビームを変調して第１の変調済み有色光ビームを形成する第１透光性空間光変調器、及びｉｉ）前記第２のテレセントリックな有色光ビームの経路内に設けられ、当該有色光ビームを変調して第２の変調済み有色光ビームを形成する第２透光性空間光変調器を有する色変調系と、
ｄ）少なくとも前記第１及び第２の変調済み有色光ビームを共通の光軸に沿って結合して、変調済み多色光ビームを形成する色成分結合器と、
ｅ）前記変調済み多色光ビームを凸状反射面方向に送る凹状反射面と、
ｆ）前記変調済み多色光ビームを表示画面に向ける、前記共通の光軸と同軸の投射レンズと、
を備えるディジタル映写機。
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
ａ）多色偏光の供給に適した第１エタンデュ値を有する照明装置と、
ｂ）前記多色偏光の経路内に設けられ、実質的にテレセントリックな多色偏光ビームを形成するレンズ素子と、
ｃ）前記多色偏光ビームを少なくとも第１のテレセントリックな有色光ビームと第２のテレセントリックな有色光ビームとに色分解する色成分分離器と、
ｄ）前記第１のテレセントリックな有色光ビームの経路内に設けられ、当該有色光ビームを変調して第１の変調済み有色光ビームを形成する第１透光性空間光変調器と、
ｅ）前記第２のテレセントリックな有色光ビームの経路内に設けられ、当該有色光ビームを変調して第２の変調済み有色光ビームを形成する第２透光性空間光変調器と、
ｆ）前記第１及び第２の変調済み有色光ビームを表示画面に向ける、少なくとも第１及び第２の投射レンズと、
を備え、
前記第１透光性空間光変調器のエタンデュ値である第２エタンデュ値、及び前記第２透光性空間光変調器のエタンデュ値である第３エタンデュ値は、前記第１エタンデュ値よりも大きな値であるディジタル映写機。
【請求項２】
請求項１に記載のディジタル映写機であって、
前記第１の透光性空間光変調器は、対角寸法が約５インチ以上の活性表面を有するディジタル映写機。
【請求項３】
請求項１に記載のディジタル映写機であって、
前記多色の変調済み有色光ビームが５０００ルーメンを超えるディジタル映写機。
【請求項４】
請求項１に記載のディジタル映写機であって、
少なくとも１つの透光性空間光変調器は、磁性フォトニック結晶変調器であるディジタル映写機。
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
ラジカル重合性成分、
画像形成輻射線に暴露すると、前記ラジカル重合性成分の重合を開始するのに十分なラジカルを生成することができるホウ酸ヨードニウム開始剤組成物、
輻射線吸収化合物、及び
高分子バインダー
を含んでなる輻射線感光性組成物であって、
前記ホウ酸ヨードニウム開始剤組成物が、下記構造（Ｉ）：
【化１】
2009538446.tif 000001
｛上記式中、Ｘ及びＹは独立して、ハロ、アルキル、アルキルオキシ、又はシクロアルキル基であり、又は２つ若しくは３つ以上の隣接するＸ又はＹ基は、結合して、それぞれのフェニル環と縮合環を形成することができ、ｐ及びｑは独立して、０又は１〜５の整数であるが、但しｐ又はｑが少なくとも１であり、且つＸ及びＹ置換基又は縮合環内の炭素原子の和が少なくとも６であることを条件とし、そして
Ｚ-は、下記構造（ＩＩ）：
【化２】
2009538446.tif 000002
（上記式中、Ｒ1、Ｒ2、Ｒ3、及びＲ4は独立して、アルキル、アリール、アルケニル、アルキニル、シクロアルキル、又はヘテロシクリル基であるか、又は、Ｒ1、Ｒ2、Ｒ3、及びＲ4のうちの２つ又は３つ以上が一緒に結合して、ホウ素原子と複素環を形成することができる）
によって表される有機アニオンである｝
によって表されるホウ酸ジアリールヨードニウムを含む輻射線感光性組成物。
【請求項２】
Ｘ及びＹが独立してアルキル基であり、そしてＲ1、Ｒ2、Ｒ3、及びＲ4のうちの少なくとも３つが独立して、アリール基である請求項１に記載の組成物。
【請求項３】
前記ホウ酸ヨードニウム開始剤組成物が、４−オクチルオキシフェニルフェニルヨードニウムテトラフェニルボレート、［４−［（２−ヒドロキシテトラデシル）−オキシ］フェニル］フェニルヨードニウムテトラフェニルボレート、ビス（４−ｔ−ブチルフェニル）ヨードニウムテトラフェニルボレート、４−メチルフェニル−４’−へキシルフェニルヨードニウムテトラフェニルボレート、４−メチルフェニル−４’−シクロヘキシルフェニルヨードニウムテトラフェニルボレート、ビス（ｔ−ブチルフェニル）ヨードニウムテトラキス（ペンタフルオロフェニル）ボレート、４−ヘキシルフェニル−フェニルヨードニウム−テトラフェニルボレート、４−メチルフェニル−４’−シクロヘキシルフェニルヨードニウムｎ−ブチルトリフェニルボレート、４−シクロヘキシルフェニル−フェニルヨードニウムテトラフェニルボレート、２−メチル−４−ｔ−ブチルフェニル−４’−メチルフェニルヨードニウムテトラフェニルボレート、４−メチルフェニル−４’−ペンチルフェニルヨードニウムテトラキス［３，５−ビス（トリフルオロメチル）フェニル］ボレート、４−メトキシフェニル−４’−シクロヘキシルフェニルヨードニウムテトラキス（ペンタフルオロフェニル）ボレート、４−メトキシフェニル−４’−ドデシルフェニルヨードニウムテトラキス（４−フルオロフェニル）ボレート、ビス（ドデシルフェニル）ヨードニウムテトラキス（ペンタフルオロフェニル）ボレート、及びビス（４−ｔ−ブチルフェニル）ヨードニウムテトラキス（１−イミダゾリル）ボレートのうちの１種又は２種以上を含む請求項１又は２に記載の組成物。
【請求項４】
前記高分子バインダーが、ペンダントビニル基又はペンダントＮ−カルバゾール部分を含んでなるポリマーであり、そして前記輻射線吸収化合物が赤外線感光性である請求項１〜３のいずれか一項に記載の組成物。
【請求項５】
請求項１〜４のいずれか一項に記載の組成物を含んでなる画像形成性層を基板上に有して成る画像形成性要素。
【請求項６】
機上現像可能である請求項５に記載の要素。
【請求項７】
Ａ）請求項５又は６に記載のネガ型画像形成性要素を像様露光すること、そして
Ｂ）予熱工程なしに、前記画像形成性層の非露光領域だけを除去するために、前記像様露光された要素を現像すること
を含んでなる画像形成された要素の製造方法。
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
コンピュータに実行させる音声認識方法であって、
（Ａ）第１のフレーズを識別するステップであって、前記第１のフレーズは、概念の第１の書面形式を表すステップと、
（Ｂ）前記第１と第２のフレーズとの間の相互マッピングを識別するステップであって、前記第２のフレーズは前記概念の第２の書面形式を表すステップと、
（Ｃ）前記第１のフレーズを前記第２のフレーズと置き換えるステップと、
を含む、音声認識方法。
【請求項２】
前記（Ｃ）の後に前記第２のフレーズを前記第１のフレーズと置き換えるステップ
をさらに含む、請求項１に記載の方法。
【請求項３】
前記（Ｃ）の前に、前記第１のフレーズを修正するためにユーザから指示を受信するステップをさらに含み、
（Ｃ）は、前記指示の受信に応じて行われ、
前記指示は、前記第２のフレーズを含まないことを特徴とする請求項１に記載の方法。
【請求項４】
前記指示は、１つのキーストロークを使用するユーザによって作成される指示を備える、請求項３に記載の方法。
【請求項５】
前記第１のフレーズは、文書に第１のフレーズを備え、（Ｃ）は、前記文書において、前記第１のフレーズを前記第２のフレーズと置き換えるステップを含む、請求項１に記載の方法。
【請求項６】
前記（Ｄ）自動音声認識装置を使用する前記文書の少なくとも１部を作成し、該文書の少なくとも１部は前記第１のフレーズを含むステップをさらに含む、請求項５に記載の方法。
【請求項７】
（Ａ）第１のフレーズを識別するための手段であって、前記第１のフレーズは、概念の第１の書面形式を表す手段と、
（Ｂ）前記第１と第２のフレーズとの間の相互マッピングを識別する手段であって、前記第２のフレーズは、前記概念の第２の書面形式を表す手段と、
（Ｃ）前記第１のフレーズを前記第２のフレーズと置き換える手段と、
を備える、装置。
【請求項８】
（Ａ）第１のフレーズを識別するステップであって、前記第１のフレーズは、概念の第１の書面形式を表すステップと、
（Ｂ）複数のテキストキーが、第１のフレーズに対して少なくとも所定の類似度を有する一致するテキストキーを含むかどうかを決定するステップと、
（Ｃ）前記複数のテキストキーが、一致するテキストキーを含むことが決定された場合、
前記テキストキーと関連するテキスト値を識別するステップと、
前記第１のフレーズを前記テキスト値と置き換えるステップと、
を含む、音声認識方法。
【請求項９】
前記（Ｄ）（Ｃ）の後に、前記テキスト値を前記一致する第１のフレーズと置き換えるステップをさらに含む、請求項８に記載の方法。
【請求項１０】
前記テキストキーと関連する複数のテキスト値の中からテキスト値を識別するステップを含む、請求項８に記載の方法。
【請求項１１】
第１のフレーズを識別するための手段であって、前記第１のフレーズは、概念の第１の書面形式を表す手段と、
複数のテキストキーが、第１のフレーズに対して少なくとも所定の類似度を有する一致するテキストキーを含むかどうかを決定する手段と、
前記複数のテキストキーが前記一致するテキストキーを含むことが決定された場合、前記テキストキーと関連するテキスト値を識別し、前記第１のフレーズを前記テキスト値と置き換える手段とを備える、装置。
【請求項１２】
（Ａ）第１のフレーズを識別するステップであって、前記第１のフレーズは、概念の拡張された書面形式を表すステップと、
（Ｂ）前記第１のフレーズを修正するためにユーザから指示形式を受信するステップと、
（Ｃ）前記指示の受信に応じて、前記概念の短略された書面形式を表す第２のフレーズを識別するステップと
（Ｄ）前記第１のフレーズを前記第２のフレーズと置き換えるステップと、を含み、前記指示は前記第２のフレーズを含まない、音声認識方法。
【請求項１３】
前記（Ｅ）（Ｃ）の後に前記第２のフレーズを前記第１のフレーズと置き換えるステップをさらに含む、請求項１２に記載の方法。
【請求項１４】
前記指示は、１つのキーストロークを使用するユーザによって作成される指示を備える、請求項１２に記載の方法。
【請求項１５】
前記第１のフレーズは、文書に第１のフレーズを備え、（Ｄ）は、前記文書において、前記第１のフレーズを前記第２のフレーズと置き換えるステップを含む、請求項１２に記載の方法。
【請求項１６】
前記（Ｃ）は、前記文書の前記第１のフレーズのコンテキストに基づき、前記第２のフレーズを識別するステップを含む、請求項１５に記載の方法。
【請求項１７】
第１のフレーズを識別する手段であって、前記第１のフレーズは、概念の拡張された書面形式を表す手段と、
前記第１のフレーズを修正するためにユーザから指示形式を受信する手段と、
前記指示の受信に応じて、前記概念の短略された書面形式を表す第２のフレーズを識別する手段と
前記第１のフレーズを前記第２のフレーズと置き換える手段とを備え、
前記指示は、前記第２のフレーズを含まない装置。
【請求項１８】
（Ａ）自動音声認識装置を使用する文書を作成するステップと、
（Ｂ）書面の第１のフレーズを修正するためにユーザから指示を受信するステップであって、前記第１のフレーズは、概念の第１の文書形式を表すステップと、
（Ｃ）前記第１と第２のフレーズとの間の相互マッピングを識別するステップであって、前記第２のフレーズは前記概念の第２の文書形式を表すステップと、
（Ｄ）前記指示の受信に応じ、前記文書において前記第１のフレーズを前記第２のフレーズと置き換えるステップと、
を含む音声認識方法。
【請求項１９】
前記第１のフレーズは、前記第２のフレーズから短略された、請求項１８に記載の方法。
【請求項２０】
前記第１のフレーズは、前記第２のフレーズから短略された、請求項１８に記載の方法。
【請求項２１】
自動音声認識装置を使用する文書を作成する手段と、
前記文書の第１のフレーズを修正するためにユーザから指示を受信する手段とであって、前記第１のフレーズは、概念の第１の書面形式を表す手段と、
前記第１と第２のフレーズとの間の相互マッピングを識別する手段であって、前記第２のフレーズは、前記概念の第２の書面形式を表す手段と、
前記指示の受信に応じ、前記文書において前記第１のフレーズを前記第２のフレーズと置き換える手段とを備える、装置。
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
（Ａ）少なくとも１種のホスホン酸ジエステルおよび／または少なくとも１種のジホスホン酸ジエステルと、
（Ｂ）少なくとも２個の縮合性シラン基を含む少なくとも１種の化合物と
を含む硬化性混合物（Ａ／Ｂ）の、付着媒介剤としての使用。
【請求項２】
前記付着媒介剤が、少なくとも１つの基材、少なくとも１つのコーティング、少なくとも１つの接着層、および少なくとも１枚のシートを含む積層物に使用される、請求項１に記載の使用。
【請求項３】
前記付着媒介剤が前記少なくとも１つのコーティング中にある、請求項２に記載の使用。
【請求項４】
前記接着層がその表面にある前記コーティング中に前記付着媒介剤がある、請求項３に記載の使用。
【請求項５】
前記シートが、平面、実質的に平面、および三次元形状の光透過性成形品よりなる群から選択される、請求項１から４までのいずれか１項に記載の使用。
【請求項６】
前記ホスホン酸ジエステルおよび前記ジホスホン酸ジエステル（Ａ）が、非環状ホスホン酸ジエステル、環状ホスホン酸ジエステル、非環状ジホスホン酸ジエステル、環状ジホスホン酸ジエステル、および環状−非環状ジホスホン酸ジエステルよりなる群から選択される、請求項１から５までのいずれか１項に記載の使用。
【請求項７】
前記化合物（Ｂ）の縮合性シラン基が、次の一般式Ｖ：
−ＳｉＲ5mＲ63-m      （Ｖ）
［式中、指標および変数の定義は以下のとおりである：
ｍは１〜３の整数であり；
Ｒ5は一価の縮合性原子または一価の縮合性有機基であり；
Ｒ6は一価の不活性有機基である］を有する、請求項１から６までのいずれか１項に記載の使用。
【請求項８】
前記化合物（Ｂ）が、
（ａ）第１選択肢において、次の一般式ＩＸ：
Ｒ9（Ｎ＝Ｃ＝Ｒ8）q      （ＩＸ）
［式中、指標ｑは、１〜１０の整数であり、変数Ｒ9は、少なくとも一価の不活性有機基であり、Ｒ8は酸素原子または硫黄原子である］を有する少なくとも１種の化合物を、次の一般式Ｘ：
Ｈ−Ｒ12［−Ｒ13］n［−Ｒ14（−Ｒ15）o］p      （Ｘ）
［式中、ｎは、０または１であり；
ｏは、１、２または３であり；
ｐは、１または２であり；
ただし、ｑ＝１の場合にはｏ＝２または３および／またはｐ＝２であることを条件とし；
Ｒ9＝一価有機基である場合にはｏ＝２または３および／またはｐ＝２であることを条件とし、；
Ｒ12は、二価の結合原子Ｒ7および三価の窒素原子−Ｎ＜および−Ｎ＝［式中、「＝」は二重結合を表す］よりなる群から選択される二価または三価の原子であるか；あるいは
−ＮＨ−、−Ｎ（−Ｒ6）−  −ＮＨ−Ｃ（＝Ｒ8）−、−ＮＨ［−Ｃ（＝Ｒ8）−］2、−ＮＨ−Ｃ（＝Ｒ8）−ＮＨ−、−ＮＨ−Ｃ（＝Ｒ8）−Ｒ7−、−ＮＨ−Ｃ（＝Ｒ8）−ＮＨ−Ｃ（＝Ｒ8）−Ｒ7−、−Ｒ7−Ｎ＝、−Ｒ7−ＮＨ−Ｃ（＝Ｒ8）−、および−ＮＨ−Ｃ（＝Ｒ8）−ＮＨ−Ｎ＝Ｃ＜［式中、「＝Ｒ8」、Ｒ7、およびＲ6は上に定義したとおりである］よりなる群から選択された二価または三価の結合官能基であり；
Ｒ13は、一価の不活性有機基Ｒ6であるか、または次の一般式ＶＩＩＩ：
−Ｒ14（−Ｒ15）o      （ＶＩＩＩ）
［式中、指標ｏは上に定義したとおりであり、Ｒ14基およびＲ15基は以下に定義されているとおりである］を有する基であり；
Ｒ14は、少なくとも二価の不活性有機基であり；さらに
Ｒ15は、前記一般式Ｖのシラン基である］を有する少なくとも１種の化合物と反応させるか、あるいは
（ｂ）第２選択肢において、次の一般式ＸＩ：
Ｒ9（−Ｒ12−Ｈ）q      （ＸＩ）
［式中、指標および変数は上に定義したとおりである］を有する少なくとも１種の化合物を、次の一般式ＸＩＩ：
Ｒ8＝Ｃ＝Ｎ−Ｒ14（−Ｒ15）o      （ＸＩＩ）
［式中、指標および変数は上に定義したとおりである］を有する少なくとも１種の化合物と反応させることによって製造される、請求項７に記載の使用。
【請求項９】
請求項１または６から８までのいずれか１項に記載の前記硬化性混合物（Ａ／Ｂ）を用いて製造可能な、請求項２から５までのいずれか１項に記載の積層物。
【請求項１０】
（Ｉ）請求項１または６から８までのいずれか１項に記載の硬化性混合物（Ａ／Ｂ）を含む熱硬化性コーティング材料を、未塗布または事前塗布基材に塗布して前記コーティング材料の層を得ることと、
（ＩＩ）前記コーティング材料の層を単独で、またはその下にある（別のコーティング材料で構成される）少なくとも１つの層と一緒に硬化させてコーティングを得ることと、
（ＩＩＩ）前記コーティングと前記接着層を介して前記基材が前記シートに接合される、前記コーティングの領域に接着剤を施して接着剤の層を得ることと、
（ＩＶ）前記接着剤の層を前記シートに接合し、前記接合部を硬化させて前記接着層を得ることと
を含む、請求項９に記載の積層物の製造方法。
【請求項１１】
請求項１または６から８までのいずれか１項に記載の硬化性混合物（Ａ／Ｂ）および少なくとも１種の熱硬化性ポリエステル（Ｃ）を含む、熱硬化性混合物。
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
光学導波層を有する又はこれから構成された顔料、特に０次回折顔料において、
前記層は、
・少なくとも０．２５だけ隣接する材料の屈折率よりも高い屈折率を有する材料から製造され、
・１００〜６００ｎｍの周期と３０〜３００ｎｍの格子深さを有する、０次回折格子構造を具備し、且つ、
・５０ｎｍ〜５００ｎｍの厚さを具備する、顔料。
【請求項２】
請求項１に記載の顔料において、前記０次回折格子構造は、０次反射において反射される光の波長よりも小さな周期を保持する顔料。
【請求項３】
請求項１に記載の顔料において、前記０次回折格子構造は、３００〜５００ｎｍの周期と、３０〜３００ｎｍの格子深さを具備する顔料。
【請求項４】
請求項１乃至３の何れか１項に記載の顔料において、異方性の横方向形状を具備する顔料。
【請求項５】
請求項１乃至４の何れか１項に記載の顔料において、磁気層を含む顔料。
【請求項６】
請求項１乃至５の何れか１項に記載の顔料において、多重層システムを含む顔料。
【請求項７】
請求項１乃至６の何れか１項に記載の顔料において、１つ又は複数の光学導波層は、有機又は無機小滴内に埋め込まれ、且つ、この小滴内において固定される顔料。
【請求項８】
請求項１乃至７の何れか１項に記載の顔料において、前記光学導波層は、人間への投与に適切な材料、特に、ＴｉＯ２から製造され、且つ、この場合に、前記顔料は、消化可能なマトリックス内に埋め込まれる顔料。
【請求項９】
請求項１乃至７のいずれか１項記載の顔料を有するマトリックス、特に、コーティング、光滑剤、又はラッカー。
【請求項１０】
請求項１乃至８の何れか１項に記載のＺＯＤ顔料を製造するプロセス、特に、ロールツーロールプロセスにおいて、
・基板上に、第１溶剤中において溶解可能である第１層を堆積させ、且つ、任意選択により、これを微細構造化する段階、
・１つ又は複数の堆積段階及び任意選択の１つ又は複数の微細構造化段階により、前記ＺＯＤ顔料の１つ又は複数の層を製造する段階であって、この場合に、すべての追加層は、前述の第１溶剤中において溶解不能である、段階、
・ＺＯＤ基板又はＺＯＤ顔料を得るべく前記第１層を溶解させる段階、
・このようにして得られた前記ＺＯＤ基板又はＺＯＤ顔料に、任意選択により、１つ又は複数の更なるコーティング段階を適用する段階、及び／又は、
・得られた前記ＺＯＤ基板又はＺＯＤ顔料に、任意選択により、サイズ及び／又は形状に関する１つ又は複数の選択段階を適用する段階を有し、
この場合に、少なくとも１つの微細構造化段階が実行される、プロセス。
【請求項１１】
請求項１０に記載のプロセスにおいて、
ａ）柔軟な基板上に、エンボス加工可能であり、且つ、第１溶剤中において溶解可能である第１層を堆積させる段階と、
ｂ）前記第１層内に周期的な微細構造をエンボス加工する段階と、
ｃ）前記エンボス加工された第１層上に、前記第１溶剤中において溶解不能であり、且つ、屈折率ｎ２を具備する第２層を堆積させる段階と、
ｄ）前記第１溶剤と接触させることにより、前記第１層から前記柔軟な基板を分離する段階であって、この場合に、前記第２層は、フレーク形状基板に分解される、段階と、
ｅ）得られた前記フレーク形状の基板を第３層によってコーティングする段階であって、この場合に、前記第３層は、屈折率ｎ３＞ｎ２＋０．２５を具備する、段階と、
を有するか、又は、
ａ）柔軟な基板上に、第１溶剤中において溶解可能である第１層を堆積させる段階と、
ｂ）前記第１層上に、エンボス加工可能であり、且つ、前述の第１溶剤中において溶解不能であり、且つ、屈折率ｎ２を具備する第２層を堆積させる段階と、
ｃ）前記第２層内に周期的な微細構造をエンボス加工する段階と、
ｄ）前記第１溶剤と接触させることにより、前記第１層から前記柔軟な基板を分離する段階であって、この場合に、前記第２層は、フレーク形状基板に分解される、段階と、
ｅ）得られた前記フレーク形状の基板を、屈折率ｎ３＞ｎ２＋０．２５を有する第３層によってコーティングする段階と、
を有するプロセス。
【請求項１２】
請求項１１に記載のプロセスにおいて、前記コーティング段階ｅ）は、湿式又は気相において実行されるプロセス。
【請求項１３】
請求項１１又は１２に記載のプロセスにおいて、段階ｄ）は、収集及び精製段階によって補完されるプロセス。
【請求項１４】
請求項１１乃至１３の何れか１項に記載のプロセスにおいて、前記第１層の堆積の前に、又はこれと同時に、多孔性層が前記柔軟な基板上に堆積されるプロセス。
【請求項１５】
請求項１１乃至１４の何れか１項に記載のプロセスにおいて、前記第１層は、基本的に、ＰＶＡ又はＰＶＰから構成されるプロセス。
【請求項１６】
請求項１１乃至１５の何れか１項に記載のプロセスにおいて、前記第１溶剤は、基本的に、水から構成されるプロセス。
【請求項１７】
請求項１１乃至１６の何れか１項に記載のプロセスにおいて、前記第２層は、基本的に、ＭｇＦ２、ＳｉＯ２、ラテックス、又はＰＳから構成されるプロセス。
【請求項１８】
請求項１１乃至１７の何れか１項に記載のプロセスにおいて、コーティング段階ｅ）は、異なる屈折率を具備する異なるコーティング材料を使用することにより、反復的に実行されるプロセス。
【請求項１９】
請求項１１に記載のプロセスにおいて、
ａ）変形可能なポリマーフォイル内又はポリマーフォイル上の変形可能な層内への周期的な微細構造のホット又はコールドエンボス加工段階と、
ｂ）特に、熱蒸着、プラズマ堆積、スパッタリング、又はグラビア印刷による少なくとも１つのＨＲＩ層の堆積段階と、
ｃ）前記エンボス加工層を溶解させ、前記顔料を機械的に剥離させる段階と、
ｄ）任意選択により、所望のサイズ及び形状に従ってＨＲＩ顔料を選択することにより、サイズ分布を絞り込む段階と、
ｅ）前記ＨＲＩ顔料をペースト又は粉体内に埋め込むか、又は前記ＨＲＩ顔料を液体又はペースト内に分散させる段階と、
を有する又はこれらから構成されたプロセス。
【請求項２０】
請求項１１乃至１９の何れか１項に記載のプロセスにおいて、前記周期的微細構造のエンボス加工段階の前に、これと同時に、又はこの後に、特に、これと同時に、既定の破壊点又は線がエンボス加工されるプロセス。
【請求項２１】
請求項１９又は２０に記載のプロセスにおいて、すべてのプロセス段階は、ロールツーロールプロセスに適合されるプロセス。
【請求項２２】
請求項１乃至１０の何れか１項に記載のＺＯＤ顔料の使用方法であって、識別、認証及びセキュリティ、烙印、マーケティング、装飾、化粧品製造、薬剤製造の分野における使用法。
【請求項２３】
請求項１乃至８の何れか１項に記載のＺＯＤ顔料を含む塗料、コーティング、光滑剤、又はインク。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
リゾホスファチジン酸に反応する、単離された免疫により誘導される物質。
【請求項２】
ポリクローナル抗体；モノクローナル抗体；キメラ抗体；ポリクローナル抗体、モノクローナル抗体またはキメラ抗体のフラグメント、ここで該フラグメントはリゾホスファチジン酸に反応性である；ポリクローナル抗体、モノクローナル抗体またはキメラ抗体の変異体、ここで該変異体はリゾホソファチジン酸に反応性である；および、ポリクローナル抗体、モノクローナル抗体またはキメラ抗体の誘導体、ここで該誘導体はリゾホスファチジン酸に反応性である、からなる群から選択される、請求項１に記載の単離された免疫により誘導される物質。
【請求項３】
医薬的に許容され得る担体および請求項１または２に記載の単離された免疫により誘導される物質を含む、組成物。
【請求項４】
対象におけるリゾホスファチジン酸濃度異常に伴う疾患または症状の治療または予防のためのものである請求項３記載の組成物。
【請求項５】
対象が、哺乳動物であり、そして、前記免疫により誘導される物質が、ポリクローナル抗体；モノクローナル抗体；キメラ抗体；ポリクローナル抗体、モノクローナル抗体またはキメラ抗体のフラグメント；ポリクローナル抗体、モノクローナル抗体またはキメラ抗体の変異体；およびポリクローナル抗体、モノクローナル抗体またはキメラ抗体の誘導体からなる群から選択される、請求項４に記載の組成物。
【請求項６】
対象の癌の予防または治療のためのものであり、該免疫により誘導される物質が下記の群：
（ａ）該免疫により誘導される物質は癌細胞の増殖を阻害する効果を有する物質である、（ｂ）該免疫により誘導される物質は癌細胞の浸潤を阻害する効果を有する物質である；（ｃ）該免疫により誘導される物質は癌細胞の転移を阻害する効果を有する物質である；（ｄ）該免疫により誘導される物質は腫瘍内血管新生を阻害する効果を有する物質である：より選択される物質であって、
かつポリクローナル抗体；モノクローナル抗体；キメラ抗体；ポリクローナル抗体、モノクローナル抗体またはキメラ抗体のフラグメント；ポリクローナル抗体、モノクローナル抗体またはキメラ抗体の変異体；およびポリクローナル抗体、モノクローナル抗体またはキメラ抗体の誘導体からなる群から選択される、請求項３に記載の組成物。
【請求項７】
前記癌が、腎臓癌、膵臓癌、黒色腫、肺癌、神経芽腫、肝細胞癌、多形性グリア芽腫、乳癌、卵巣癌、前立腺癌、結腸直腸癌および白血病からなる群から選択される、請求項６記載の組成物。
【請求項８】
下記の群：
（ａ）疾患または症状に関与する細胞のアポトーシスを増加させることにより有効な治療が見込まれる疾患または症状、免疫により誘導される物質は該疾患または症状に関与する細胞のアポトーシスを増加させる効果を有する；および、
（ｂ）疾患または症状に関与する細胞に対する細胞毒性剤の抗アポトーシス効果を増大させることにより有効な治療が見込まれる疾患または症状であって、免疫により誘導される物質は細胞に対する細胞毒性剤の抗アポトーシス効果を増大させる効果を有する、
から選択される疾患又は症状を治療または予防するための組成物であって、
該免疫により誘導される物質がポリクローナル抗体；モノクローナル抗体；キメラ抗体；ポリクローナル抗体、モノクローナル抗体またはキメラ抗体のフラグメント；ポリクローナル抗体、モノクローナル抗体またはキメラ抗体の変異体；およびポリクローナル抗体、モノクローナル抗体またはキメラ抗体の誘導体からなる群から選択される請求項３記載の組成物。
【請求項９】
疾患又は症状が癌である、請求項８記載の組成物。
【請求項１０】
疾患又は症状に関与する細胞が、腎臓癌細胞、膵臓癌細胞、黒色腫細胞、肺癌細胞、神経芽腫細胞、肝細胞癌細胞、多形性グリア芽腫細胞、乳癌細胞、卵巣癌細胞、前立腺癌細胞、結腸直腸癌細胞および白血病細胞からなる群から選択される癌細胞である、請求項８記載の組成物。
【請求項１１】
癌患者または癌が疑われる哺乳動物対象の癌を治療または予防するためのものであって、免疫により誘導される物質がリゾホスファジン酸の有効濃度を低下させる効果を有している、請求項３に記載の組成物。
【請求項１２】
前記癌が、腎臓癌、膵臓癌、黒色腫、肺癌、神経芽腫、肝細胞癌、多形性グリア芽腫、乳癌、卵巣癌、前立腺癌、結腸直腸癌および白血病からなる群から選択される、請求項１１記載の組成物。
【請求項１３】
経皮、表皮、眼、子宮内、膣内、直腸、肺、気管内、および鼻腔内投与からなる群から選択される局所経路を介しての局所投与、経口投与および静脈内、動脈内、皮下、腹腔内、筋肉内および頭蓋内投与からなる群から選択される非経口経路からなる群から選択投与に適したものである、請求項３〜１２何れかに記載の組成物。
【請求項１４】
非経口投与により投与される、請求項３〜１３何れかに記載の組成物。
【請求項１５】
対象がヒトである、請求項３〜１４何れかに記載の組成物。
【請求項１６】
該免疫により誘導される物質がモノクローナル抗体である請求項３〜１５何れかに記載の組成物。